(57)【要約】【課題】遊技機の画像表示装置において、変化に富んだ画像演出や前後方向に奥行きがある立体的な画像演出を行うことができようにする。【解決手段】メイン画像表示部２０とサブ画像表示部２１を前後方向に並べて配置し、これらのメイン画像表示部２０とサブ画像表示部２１によって前後方向に奥行きがある立体的な画像演出を行う。更に、メイン画像表示部２０を前後方向に移動可能に設けると共に、サブ画像表示部２１の各表示パネル２２，２３を左右方向に移動可能に設けることで、メイン画像表示部２０やサブ画像表示部２１による画像の表示位置を移動させて、変化に富んだ画像演出を行う。更に、メイン画像表示部２０の前方に出現する第１〜第３の可動演出体２５〜２７を設けることで、これらの可動演出体２５〜２７と複数の画像表示部２０，２１との組み合わせによって、従来にない多様な演出を表現する。【選択図】図２
2010207308.tif 000002
【特許請求の範囲】
【請求項１】
遊技機の前後方向に複数の画像表示部が並べて配置され、該複数の画像表示部のうちの少なくとも１つが移動可能に設けられていると共に、前記複数の画像表示部のうちの後側に配置された画像表示部の前方に出現するように移動可能な可動演出体が設けられていることを特徴とする遊技機の画像表示装置。
【請求項２】
前記複数の画像表示部のうちの前側に配置された画像表示部は、分離可能な複数の表示パネルを備え、該複数の表示パネルが接近する位置と離間する位置との間を移動するように構成されていることを特徴とする請求項１に記載の遊技機の画像表示装置。
【請求項３】
前記複数の画像表示部のうちの少なくとも１つは、湾曲変形可能な表示パネルを備え、該表示パネルが平板状態と湾曲状態との間で切り換わるように構成されていることを特徴とする請求項１又は２に記載の遊技機の画像表示装置。
【発明の詳細な説明】
【技術分野】
【０００１】
本発明は、複数の画像表示部を備えた遊技機の画像表示装置に関する発明である。
【背景技術】
【０００２】
パチンコ機等の遊技機においては、遊技盤の中央部に、液晶表示器等からなる画像表示装置を配置し、この画像表示装置の表示画面に、ゲーム画像等を表示するようにしたものがある。
【０００３】
このような画像表示装置においては、ゲーム画像等の演出効果を高めることを目的として、例えば、特許文献１（特開２００７−１４３８５号公報）に記載されているように、２つの画像表示装置を前後方向に並べて配置し、前側の画像表示装置を透過状態と非透過状態とを選択可能な液晶表示装置で構成することで、前側の画像表示装置を通して後側の画像表示装置の画像を視認できるようにしたものがある。
【０００４】
また、特許文献２（特開２００７−２４４６７４号公報）に記載されているように、２つの表示器を左右方向に並べて配置し、これら２つの表示器を接近させて１枚のパネルように配置する状態と、２つの表示器を左右方向に離間させて配置する状態との間を移動可能にしたものもある。
【先行技術文献】
【特許文献】
【０００５】
【特許文献１】特開２００７−１４３８５号公報（図２等）
【特許文献２】特開２００７−２４４６７４号公報（図２、図３等）
【発明の概要】
【発明が解決しようとする課題】
【０００６】
しかし、上記特許文献１の技術では、２つの画像表示装置が両方とも固定されて移動しない構成となっているため、画像を表示する位置が固定されてしまい、変化に富んだ画像演出を行うことができないという欠点がある。
【０００７】
また、上記特許文献２の技術では、２つの表示器を左右方向に並べて配置した構成となっているため、前後方向に奥行きがある立体的な画像演出を行うことができないという欠点がある。
【０００８】
そこで、本発明が解決しようとする課題は、変化に富んだ画像演出や前後方向に奥行きがある立体的な画像演出を行うことができ、演出効果を十分に高めることができる遊技機の画像表示装置を提供することにある。
【課題を解決するための手段】
【０００９】
上記課題を解決するために、請求項１に係る発明は、遊技機の前後方向に複数の画像表示部が並べて配置され、該複数の画像表示部のうちの少なくとも１つが移動可能に設けられていると共に、複数の画像表示部のうちの後側に配置された画像表示部の前方に出現するように移動可能な可動演出体が設けられている構成としたものである。
【００１０】
この構成では、複数の画像表示部が前後方向に並べて配置されているため、これらの前後方向に並べて配置された複数の画像表示部によって前後方向に奥行きがある立体的な画像演出を行うことができる。更に、複数の画像表示部が移動可能に設けられているため、画像表示部を移動させて画像の表示位置を移動させることができ、変化に富んだ画像演出を行うことができる。しかも、後側に配置された画像表示部の前方（例えば複数の画像表示部の間）に出現するように移動可能な可動演出体が設けられているため、この可動演出体と複数の画像表示部との組み合わせによって、従来にない多様な演出を表現することが可能となり、演出効果を十分に高めることができる。
【００１１】
この場合、請求項２のように、複数の画像表示部のうちの前側に配置された画像表示部は、分離可能な複数の表示パネルを備え、該複数の表示パネルが接近する位置と離間する位置との間を移動するように構成しても良い。このようにすれば、前側の画像表示部は、複数の表示パネルが接近して１枚の表示パネルのように配置される状態と、複数の表示パネルが離間して配置される状態とを切り換えることができる。また、複数の表示パネルを非透過性の表示パネルで形成した場合には、複数の表示パネルを接近させて、これらの複数の表示パネルによって後側の画像表示部や可動演出体を隠すようにしたり、複数の表示パネルを離間させて、これらの複数の表示パネルの間から後側の画像表示部の表示画像や可動演出体を視認できるようにするといった演出が可能となる。
【００１２】
また、請求項３のように、複数の画像表示部のうちの少なくとも１つは、湾曲変形可能な表示パネルを備え、該表示パネルが平板状態と湾曲状態との間で切り換わるように構成しても良い。このようにすれば、表示パネルを平板状態から湾曲状態に変形させたり、表示パネルを湾曲状態から平板状態に戻すといった斬新的な演出を行うことができる。
【図面の簡単な説明】
【００１３】
【図１】図１は本発明の実施例１におけるパチンコ機の正面図である。
【図２】図２は実施例１の画像表示装置の斜視図である。
【図３】図３の（ａ）、（ｂ）は実施例１の画像表示装置の演出動作を説明する図（その１）である。
【図４】図４の（ｃ）、（ｄ）は実施例１の画像表示装置の演出動作を説明する図（その２）である。
【図５】図５の（ｅ）は実施例１の画像表示装置の演出動作を説明する図（その３）である。
【図６】図６は実施例２の画像表示装置の斜視図である。
【図７】図７の（ａ）、（ｂ）は実施例２の画像表示装置の演出動作を説明する図である。
【図８】図８は実施例３の画像表示装置の斜視図である。
【図９】図９の（ａ）、（ｂ）は実施例３の画像表示装置の動作を説明する図である。
【発明を実施するための形態】
【００１４】
以下、本発明を実施するための形態をパチンコ機（遊技機）の画像表示装置に適用して具体化した幾つかの実施例を説明する。
【実施例１】
【００１５】
本発明の実施例１を図１乃至図５に基づいて説明する。
まず、図１に基づいてパチンコ機の前面側の概略構成を説明する。
パチンコ機の本体枠１１の前面側には、ガラス扉１２が開閉可能に設けられ、このガラス扉１２の後方に、遊技盤１３が取り付けられている。この遊技盤１３の前面に、図示しない内レールや外レール等によってパチンコ球（遊技球）が転動する遊技領域が区画形成されている。この遊技領域の中央部に、画像表示装置１４が配置され、この画像表示装置１４の下方に、始動入賞装置１５や可変入賞装置１６が設けられている。
【００１６】
画像表示装置１４には、後述する画像表示部２０，２１（図２参照）が設けられている。これらの画像表示部２０，２１には、例えば、数字や絵柄等からなる複数（例えば３つ）のゲーム用図柄が表示され、これらのゲーム用図柄の組み合わせが所定の組み合わせになったときに当りが成立する。一方、本体枠１１の前面側下部には、上球皿１７、下球皿１８、球発射装置（図示せず）の発射操作ハンドル１９等が設けられている。
【００１７】
次に、図２乃至図５を用いて、画像表示装置１４の構成について説明する。
図２に示すように、画像表示装置１４には、パチンコ機の前後方向に２つの画像表示部２０，２１が並べて配置されている。本実施例１では、後側にメイン画像表示部２０が配置され、前側にサブ画像表示部２１が配置されている。
【００１８】
メイン画像表示部２０は、１つの液晶表示パネル等で構成されている。画像表示装置１４には、モータ等の駆動力によってメイン画像表示部２０を前後方向にスライド移動させる前後移動機構（図示せず）が設けられ、この前後移動機構によって、メイン画像表示部２０が後方に移動してサブ画像表示部２１から離れる後方位置（図２参照）と、メイン画像表示部２０が前方に移動してサブ画像表示部２１に近付く前方位置［図３（ｂ）参照］との間を移動できるようになっている。
【００１９】
一方、サブ画像表示部２１には、左右方向に分離可能な２つの表示パネル（表示部）２２，２３が設けられ、各表示パネル２２，２３は、それぞれ厚さ寸法が比較的薄くて湾曲変形可能な表示パネル［例えば、有機ＥＬ（Electro Luminescence）表示パネル、液晶表示パネル、電子ペーパー等］で構成されている。また、各表示パネル２２，２３は、正面側から背面側を透視できない非透過性である。
【００２０】
画像表示装置１４には、モータ等の駆動力によってサブ画像表示部２１の各表示パネル２２，２３を左右方向にスライド移動させる左右移動機構（図示せず）が設けられ、この左右移動機構によって、各表示パネル２２，２３が互い近付く方向に移動して各表示パネル２２，２３がメイン画像表示部２０の真正面で接近して１枚の表示パネルのように配置される接近位置［図３（ｂ）参照］と、各表示パネル２２，２３が互いに離れる方向に移動して各表示パネル２２，２３が左右方向に離間して配置される離間位置［図３（ａ）参照］との間を移動できるようになっている。
【００２１】
画像表示装置１４の前面側には、表示窓２４（図１参照）が形成され、サブ画像表示部２１の各表示パネル２２，２３が接近位置に移動したときには、各表示パネル２２，２３が表示窓２４の視認範囲（遊技者が表示窓２４を通して視認できる範囲）に入って各表示パネル２２，２３を視認できるようになっているが、各表示パネル２２，２３が離間位置に移動したときには、各表示パネル２２，２３が表示窓２４の視認範囲から外れて各表示パネル２２，２３を視認できないようになっている。
【００２２】
更に、画像表示装置１４には、各表示パネル２２，２３が接近位置に移動したときに、モータ等の駆動力によって各表示パネル２２，２３を湾曲変形させる湾曲変形機構（図示せず）が設けられ、この湾曲変形機構によって、各表示パネル２２，２３が平板状態［図３（ｂ）参照］と湾曲状態［図４（ｃ）参照］との間で切り換わる（湾曲移動する）ようになっている。この湾曲変形機構は、例えば、２つの表示パネル２２，２３の境目部分（中央部分）を前方に押し出すことで、２つの表示パネル２２，２３の境目部分が前方に突出して表示パネル２２，２３が半円筒形状になるように表示パネル２２，２３を湾曲変形させる。
【００２３】
また、サブ画像表示部２１の後方には、例えば竜の頭の形状に形成された第１の可動演出体２５と、例えば竜の手の形状に形成された第２の可動演出体２６が左右に別れて配置されている。画像表示装置１４には、モータ等の駆動力によって第１及び第２の可動演出体２５，２６を左右方向にスライド移動又は回動移動させる左右移動機構（図示せず）が設けられ、この左右移動機構によって、第１及び第２の可動演出体２５，２６がそれぞれ中央方向に移動してメイン画像表示部２０の前方で表示窓２４の視認範囲に出現する出現位置［図３（ａ）参照］と、第１及び第２の可動演出体２５，２６がそれぞれ側方に移動して表示窓２４の視認範囲から外れて収納される収納位置（図２参照）との間を移動できるようになっている。
【００２４】
更に、各表示パネル２２，２３が平板状態のときのサブ画像表示部２１の前方には、例えば剣の形状に形成された第３の可動演出体２７［図４（ｄ）参照］が配置されている。画像表示装置１４には、モータ等の駆動力によって第３の可動演出体２７を上下方向にスライド移動させる上下移動機構（図示せず）が設けられ、この上下移動機構によって、第３の可動演出体２７が上方に移動してメイン画像表示部２０の前方で表示窓２４の視認範囲に出現する出現位置［図４（ｄ）参照］と、第３の可動演出体２７が下方に移動して表示窓２４の視認範囲から外れて収納される収納位置（図２参照）との間を移動できるようになっている。また、画像表示装置１４には、第３の可動演出体２７を前後方向に回動させる回動機構（図示せず）も設けられている。
【００２５】
図２に示すように、画像表示装置１４は、通常時には、メイン画像表示部２０が後方位置に保持されると共に、サブ画像表示部２１の各表示パネル２２，２３が離間位置に保持されている。更に、第１及び第２の可動演出体２５，２６が収納位置に保持されると共に、第３の可動演出体２７が収納位置に保持されている。
【００２６】
パチンコ機の制御回路（図示せず）は、所定条件が成立したとき（例えばパチンコ球が始動入賞装置１５に入賞したとき）に、画像表示装置１４の演出動作を次のように制御する。
【００２７】
まず、図３の（ａ）に示すように、メイン画像表示部２０でキャラクター等を表示した状態で、メイン画像表示部２０を前後方向に往復移動させると共に、第１及び第２の可動演出体２５，２６を出現位置に移動させる。この場合、サブ画像表示部２１の各表示パネル２２，２３が離間位置に保持されているため、遊技者は、各表示パネル２２，２３の間からメイン画像表示部２０の表示画像や第１及び第２の可動演出体２５，２６を視認することができる。
【００２８】
この後、図３の（ｂ）に示すように、サブ画像表示部２１の各表示パネル２２，２３を接近位置に移動させて１枚の表示パネルのように配置される状態にして各表示パネル２２，２３でゲーム用図柄等を表示する。この場合、サブ画像表示部２１の各表示パネル２２，２３が接近位置に保持されているため、各表示パネル２２，２３によってメイン画像表示部２０や第１及び第２の可動演出体２５，２６を隠すことができ、この状態で、メイン画像表示部２０を前方位置に移動させると共に、第１及び第２の可動演出体２５，２６を収納位置に移動させる。
【００２９】
この後、図４の（ｃ）に示すように、サブ画像表示部２１の各表示パネル２２，２３を平板状態から境目部分（中央部分）が前方に突出した半円筒形状の湾曲状態に変形させる。これにより、サブ画像表示部２１の各表示パネル２２，２３が前方に膨張したような斬新的な演出を行う。
【００３０】
この後、図４の（ｄ）に示すように、第３の可動演出体２７を出現位置に移動させる。この場合、サブ画像表示部２１の各表示パネル２２，２３が前方に湾曲変形しているため、各表示パネル２２，２３によって第３の可動演出体２７が隠されているが、その後、第３の可動演出体２７を前方に倒れるように回動させて、第３の可動演出体２７の先端部を表示パネル２２，２３の境目部分から前方に突出させる。これにより、例えば剣の形状に形成された第３の可動演出体２７の先端部が、１枚の表示パネルのように配置された表示パネル２２，２３を貫くような斬新的な演出を行う。
【００３１】
この後、図５の（ｅ）に示すように、サブ画像表示部２１の各表示パネル２２，２３を湾曲状態から平板状態に戻すと共に、各表示パネル２２，２３を互いに離れる方向に移動させて収納位置に移動させる。これにより、サブ画像表示部２１の表示パネル２２，２３が第３の可動演出体２７によって切り裂かれたような斬新的な演出を行う。更に、メイン画像表示部２０を後方位置に移動させると共に、第３の可動演出体２７を収納位置に移動させることで、画像表示装置１４を通常時の状態に戻す。
【００３２】
尚、画像表示装置１４の演出動作を適宜変更しても良いことはいうまでもない。また、サブ画像表示部２１の表示パネル２２，２３を透過性を有する表示パネルで形成しても良い。
【００３３】
以上説明した本実施例１では、メイン画像表示部２０とサブ画像表示部２１を前後方向に並べて配置するようにしたので、これらの前後方向に並べて配置されたメイン画像表示部２０とサブ画像表示部２１によって前後方向に奥行きがある立体的な画像演出を行うことができる。更に、メイン画像表示部２０とサブ画像表示部２１がそれぞれ移動可能に設けられているため、これらメイン画像表示部２０とサブ画像表示部２１を移動させて画像の表示位置を移動させることができ、変化に富んだ画像演出を行うことができる。しかも、メイン画像表示部２０の前方に出現する第１〜第３の可動演出体２５〜２７を設けるようにしたので、これらの可動演出体２５〜２７と複数の画像表示部２０，２１との組み合わせによって、従来にない多様な演出を表現することが可能となり、演出効果を十分に高めることができる。
【実施例２】
【００３４】
次に、図６及び図７を用いて本発明の実施例２を説明する。但し、前記実施例１と実質的に同一部分には同一符号を付して説明を省略又は簡略化し、主として前記実施例１と異なる部分について説明する。
【００３５】
図６に示すように、本実施例２では、画像表示装置２８のサブ画像表示部２９には、２つの表示パネル（表示部）３０，３１が設けられ、各表示パネル３０，３１は、それぞれ厚さ寸法が比較的薄くて湾曲変形可能な表示パネル（例えば、有機ＥＬ表示パネル、液晶表示パネル、電子ペーパー等）で構成されている。また、各表示パネル３０，３１は、正面側から背面側を透視できる透過性を有している。
【００３６】
画像表示装置２８には、モータ等で駆動される複数本（例えば２本）の駆動ローラ３２によってサブ画像表示部２９の各表示パネル３０，３１をメイン画像表示部２０の前方及び両側方を囲むように形成された略コ字形状の移動軌道に沿ってスライド移動させる移動機構（図示せず）が設けられ、この移動機構によって、各表示パネル３０，３１の境目部分がメイン画像表示部２０の側方に移動して一方の表示パネル３０のみがメイン画像表示部２０の前方に配置される通常位置（図６参照）と、各表示パネル３０，３１の境目部分がメイン画像表示部２０の中央部前方に移動して両方の表示パネル３０，３１がメイン画像表示部２０の前方に配置される演出位置［図７（ａ）参照］との間を移動できるようになっている。
【００３７】
サブ画像表示部２９の各表示パネル３０，３１が通常位置に移動したときには、一方の表示パネル３０が表示窓２４の視認範囲に入って一方の表示パネル３０を視認できるようになっているが、各表示パネル３０，３１が演出位置に移動したときには、各表示パネル３０，３１が表示窓２４の視認範囲に入って各表示パネル３０，３１を視認できるようになっている。
【００３８】
更に、画像表示装置２８には、各表示パネル３０，３１が演出位置に移動したときに、モータ等の駆動力によって各表示パネル３０，３１をそれぞれ駆動ローラ３２を軸にして開閉回動させる開閉機構（図示せず）が設けられ、この開閉機構によって、各表示パネル３０，３１がメイン画像表示部２０の前方を閉鎖する閉鎖状態［図７（ａ）参照］と、各表示パネル３０，３１が後方に回動してメイン画像表示部２０の前方を開放する開放状態［図７（ｂ）参照］との間で切り換わるようになっている。
【００３９】
また、サブ画像表示部２９の前方には、例えば文字や図柄の形状に形成された可動演出体３３［図７（ｂ）参照］が配置されている。画像表示装置２８には、モータ等の駆動力によって可動演出体３３を上下方向にスライド移動させる上下移動機構（図示せず）が設けられ、この上下移動機構によって、可動演出体３３が下方に移動してサブ画像表示部２９の各表示パネル３０，３１の前方で表示窓２４の視認範囲に出現する出現位置［図７（ｂ）参照］と、可動演出体３３が上方に移動して表示窓２４の視認範囲から外れて収納される収納位置との間を移動できるようになっている。
【００４０】
図６に示すように、画像表示装置２８は、通常時には、メイン画像表示部２０が前方位置又は後方位置に保持されると共に、サブ画像表示部２９の各表示パネル３０，３１が通常位置に保持されている。更に、可動演出体３３が収納位置に保持されている。この場合、サブ画像表示部２９の表示パネル３０がメイン画像表示部２０の前方に配置されているため、遊技者は、表示パネル３０の表示画像を視認することができ、更に、透過性を有する表示パネル３０を通してメイン画像表示部２０の表示画像も視認することができる。
【００４１】
パチンコ機の制御回路は、所定条件が成立したとき（例えばパチンコ球が始動入賞装置１５に入賞したとき）に、画像表示装置２８の演出動作を次のように制御する。
まず、図７の（ａ）に示すように、メイン画像表示部２０でキャラクター等を表示した状態で、サブ画像表示部２９の各表示パネル３０，３１を演出位置にスライド移動させて、各表示パネル３０，３１でゲーム用図柄等を表示する。この場合、サブ画像表示部２９の各表示パネル３０，３１がメイン画像表示部２０の前方に配置されているため、遊技者は、各表示パネル３０，３１の表示画像を視認することができ、更に、透過性を有する表示パネル３０，３１を通してメイン画像表示部２０の表示画像も視認することができる。
【００４２】
この後、図７の（ｂ）に示すように、メイン画像表示部２０を後方位置に移動させると共に、サブ画像表示部２９の各表示パネル３０，３１を閉鎖状態から開放状態に切り換えてメイン画像表示部２０の前方を開放し、この状態で、可動演出体３３を出現位置に移動させる。
【００４３】
この後、図６に示すように、可動演出体３３を収納位置に移動させると共に、サブ画像表示部２９の各表示パネル３０，３１を開放状態から閉鎖状態に戻した後、各表示パネル３０，３１を通常位置に移動させることで、画像表示装置２８を通常時の状態に戻す。
【００４４】
尚、画像表示装置２８の演出動作を適宜変更しても良いことはいうまでもない。
以上説明した本実施例２においても、メイン画像表示部２０とサブ画像表示部２９によって前後方向に奥行きがある立体的な画像演出や変化に富んだ画像演出を行うことができ、更に、可動演出体３３と複数の画像表示部２０，２９との組み合わせによって従来にない多様な演出を表現することが可能となり、演出効果を十分に高めることができる。
【実施例３】
【００４５】
次に、図８及び図９を用いて本発明の実施例３を説明する。但し、前記実施例１と実質的に同一部分には同一符号を付して説明を省略又は簡略化し、主として前記実施例１と異なる部分について説明する。
【００４６】
図８に示すように、本実施例３では、画像表示装置３４のサブ画像表示部３５には、左右方向に分離可能な２つの表示パネル（表示部）３６，３７が設けられ、各表示パネル３６，３７は、それぞれ予め湾曲した曲面形状の表示パネル（例えば、有機ＥＬ表示パネル、液晶表示パネル、電子ペーパー等）で構成されている。また、各表示パネル３６，３７は、正面側から背面側を透視できる透過性を有している。
【００４７】
画像表示装置３４には、モータ等によってサブ画像表示部３５の各表示パネル３６，３７をメイン画像表示部２０の周り囲むように形成された円形状の移動軌道に沿ってスライド移動させる移動機構（図示せず）が設けられ、この移動機構によって、各表示パネル３６，３７がメイン画像表示部２０の後方に移動する後方位置［図９（ａ）参照］と、各表示パネル３６，３７がメイン画像表示部２０の前方に移動する前方位置［図９（ｂ）参照］との間を移動できるようになっている。
【００４８】
サブ画像表示部３５の各表示パネル３６，３７が前方位置に移動したときには、各表示パネル３６，３７が表示窓２４の視認範囲に入って各表示パネル３６，３７を視認できるようになっているが、各表示パネル３６，３７が後方位置に移動したときには、各表示パネル３６，３７が表示窓２４の視認範囲から外れて各表示パネル３６，３７を視認できないようになっている。
【００４９】
また、メイン画像表示部２０の前方には、第１の可動演出体２５と第２の可動演出体２６が左右に別れて配置され、これらの第１及び第２の可動演出体２５，２６を左右方向にスライド移動又は回動移動させる左右移動機構によって、第１及び第２の可動演出体２５，２６がそれぞれ中央方向に移動してメイン画像表示部２０の前方で表示窓２４の視認範囲に出現する出現位置［図９（ａ）参照］と、第１及び第２の可動演出体２５，２６がそれぞれ側方に移動して表示窓２４の視認範囲から外れて収納される収納位置［図９（ｂ）参照］との間を移動できるようになっている。
【００５０】
更に、メイン画像表示部２０の前方には、第３の可動演出体２７が配置され、この第３の可動演出体２７を上下方向にスライド移動させる上下移動機構によって、第３の可動演出体２７が上方に移動してメイン画像表示部２０の前方で表示窓２４の視認範囲に出現する出現位置と、第３の可動演出体２７が下方に移動して表示窓２４の視認範囲から外れて収納される収納位置との間を移動できるようになっている。
【００５１】
画像表示装置３４は、通常時には、メイン画像表示部２０が前方位置又は後方位置に保持されると共に、サブ画像表示部３５の各表示パネル３６，３７が後方位置に保持されている。更に、第１及び第２の可動演出体２５，２６が収納位置に保持されると共に、第３の可動演出体２７が収納位置に保持されている。
【００５２】
パチンコ機の制御回路は、所定条件が成立したとき（例えばパチンコ球が始動入賞装置１５に入賞したとき）に、画像表示装置３４の演出動作を次のように制御する。
【００５３】
まず、図９の（ａ）に示すように、メイン画像表示部２０でキャラクター等を表示した状態で、メイン画像表示部２０を前後方向に往復移動させると共に、第１及び第２の可動演出体２５，２６を出現位置に移動させる。
【００５４】
この後、図９の（ｂ）に示すように、メイン画像表示部２０を前方位置に移動させると共に、第１及び第２の可動演出体２５，２６を収納位置に移動させる。更に、サブ画像表示部３５の各表示パネル３６，３７を前方位置に移動させて、各表示パネル３６，３７でゲーム用図柄等を表示すると共に、第３の可動演出体２７を出現位置に移動させる。この場合、サブ画像表示部３５の各表示パネル３６，３７がメイン画像表示部２０の前方に配置されているため、遊技者は、各表示パネル３６，３７の表示画像を視認することができ、更に、透過性を有する表示パネル３６，３７を通してメイン画像表示部２０の表示画像や第３の可動演出体２７を視認することができる。
【００５５】
この後、サブ画像表示部３５の各表示パネル３６，３７を後方位置に移動させる共に、第３の可動演出体２７を収納位置に移動させることで、画像表示装置３４を通常時の状態に戻す。
【００５６】
尚、画像表示装置３４の演出動作を適宜変更しても良いことはいうまでもない。
以上説明した本実施例３においても、メイン画像表示部２０とサブ画像表示部３５によって前後方向に奥行きがある立体的な画像演出や変化に富んだ画像演出を行うことができ、更に、複数の可動演出体２５〜２７と複数の画像表示部２０，３５との組み合わせによって従来にない多様な演出を表現することが可能となり、演出効果を十分に高めることができる。
【００５７】
尚、上記各実施例１〜３では、メイン画像表示部やサブ画像表示部をスライド移動させる構成としたが、これに限定されず、メイン画像表示部やサブ画像表示部を回動移動させる構成としても良い。
【００５８】
また、上記各実施例１〜３では、２つの画像表示部（メイン画像表示部とサブ画像表示部）を前後方向に並べて配置する構成としたが、これに限定されず、３つ以上の画像表示部を前後方向に並べて配置する構成としても良い。
【００５９】
また、移動可能に設けた複数の画像表示部とは別に、移動しない固定された画像表示部を設けた構成としても良く、例えば、３つの画像表示部を設け、そのうちの２つを移動可能な構成としても良い。
【００６０】
また、上記各実施例１〜３では、２つの画像表示部（メイン画像表示部とサブ画像表示部）のそれぞれを移動可能な構成としたが、複数の画像表示部のうちの少なくとも１つの画像表示部を移動可能な構成としても良い。
また、２つの画像表示部（メイン画像表示部とサブ画像表示部）のそれぞれを透過性を有する表示パネルで構成しても良い。
【００６１】
また、上記各実施例１〜３では、メイン画像表示部を１つの表示パネルで構成し、サブ画像表示部を２つの表示パネルで構成したが、これに限定されず、メイン画像表示部を２つ以上の表示パネルで構成したり、或は、サブ画像表示部を１つ又は３つ以上の表示パネルで構成しても良い。
【００６２】
また、上記実施例１では、サブ画像表示部の２つの表示パネルの境目部分から可動演出体を前方に突出させるようにしたが、サブ画像表示部の表示パネルに開口部を形成しておき、この開口部から可動演出体を前方に突出させるようにしても良い。
【００６３】
また、上記各実施例１〜３では、メイン画像表示部とサブ画像表示部を別々に設けるようにしたが、メイン画像表示部とサブ画像表示部を一体的に設けるようにしても良く、例えば、１枚の湾曲変形可能なベルト状の表示パネルをＵ字形状又は環状に湾曲させて、その二重になった部分の一方を前側の画像表示部として使用し、他方を後側の画像表示部として使用するようにしても良い。
【００６４】
また、別途、遊技者が操作可能な演出用操作部を設け、この演出用操作部の操作に連動して画像表示部や可動演出体が移動するように構成しても良い。
また、本発明の適用範囲は、一般のパチンコ機の画像表示装置に限定されず、例えばアレンジボール遊技機、スロットマシン等、種々の遊技機の画像表示装置に本発明を適用しても良い。
【符号の説明】
【００６５】
１４…画像表示装置、２０…メイン画像表示部、２１…サブ画像表示部、２２，２３…表示パネル、２５〜２７…可動演出体、２８…画像表示装置、２９…サブ画像表示部、３０，３１…表示パネル、３３…可動演出体、３４…画像表示装置、３５…サブ画像表示部、３６，３７…表示パネル
【図１】
2010207308.tif 000003
【図２】
2010207308.tif 000004
【図３】
2010207308.tif 000005
【図４】
2010207308.tif 000006
【図５】
2010207308.tif 000007
【図６】
2010207308.tif 000008
【図７】
2010207308.tif 000009
【図８】
2010207308.tif 000010
【図９】
2010207308.tif 000011